(57)【特許請求の範囲】
【請求項１】
脱穀部の後端部から張り出させた横張り出しフレームの先端部と、脱穀部と籾タンクの間に設けられた揚穀筒から後方へ延出させた後向き張り出しフレームの先端部とをシャーシフレームから起立させたオーガ支持フレームに結合させ、一方ではこの結合個所の近傍に縦オーガの縦パイプを回動自在に保持する軸受体を設け、この軸受体及び前記オーガ支持フレームをモータブラケットで結合し、このブラケットに縦オーガ旋回用モータを固定させたことを特徴とするコンバインの縦オーガ旋回用モータ取付構造。
【請求項２】
縦オーガ旋回用モータに取り付けたモータブラケットの一面部をオーガ支持フレームに固定し、この一面部と交差したモータブラケット他面部を前記軸受体に固定したことを特徴とする請求項１記載のコンバインの縦オーガ旋回用モータ取付構造。
【発明の詳細な説明】
【０００１】
【発明の属する技術分野】
本発明は、コンバインにおける縦オーガ旋回用モータの取付構造に関する。
【０００２】
【従来の技術】
脱穀部の側方個所に籾タンクを、そして籾タンクの後方で脱穀部の側方となる個所に籾を搬送するための縦オーガを設け、この縦オーガをモータで旋回駆動するようにしたコンバインは存在している。この種のコンバインにおいて、上記モータは縦オーガの横外方個所に装設するようにしている。
【０００３】
【発明が解決しようとする課題】
上記した従来の縦オーガ旋回用モータの取付構造では、モータが機体の外方に在るため、モータと他物との接触が生じ易くなり、これによる損傷を回避する配慮が必要であり、また雨水や泥及び粉塵等に対する格別な保護手段を講ずることが必要である。本発明は、上記のような実情に合理的に対処できるようにした縦オーガ旋回用モータ取付構造を提供することを目的とするものである。
【０００４】
【課題を解決するための手段】
上記目的を達成するため、本発明では、脱穀部の後端部から張り出させた横張り出しフレームの先端部と、脱穀部と籾タンクの間に設けられた揚穀筒から後方へ延出させた後向き張り出しフレームの先端部とをシャーシフレームから起立させたオーガ支持フレームに結合させ、一方ではこの結合個所の近傍に縦オーガの縦パイプを回動自在に保持する軸受体を設け、この軸受体及び前記オーガ支持フレームをモータブラケットで結合し、このブラケットに縦オーガ旋回用モータを固定させたものである。このようにすると、軸受体が強固に支持されて、前記モータによる縦パイプの旋回が円滑に行われるほか、縦パイプが一層効果的に支持されるようになる。
【０００５】
このさい、縦オーガ旋回用モータに取り付けたモータブラケットの一面部をオーガ支持フレームに固定し、この一面部と交差したモータブラケット他面部を前記軸受体に固定するのがよい。このようにすると、モータブラケットが立体的に支持されるため、その位置を効果的に固定され、縦オーガ旋回用モータの作動時にこれに大きな外力を及ぼすことなく、これを強固に支持するものとなる。
【０００６】
【発明の実施の形態】
図１は本発明を実施したコンバインの右側面図、図２はその左側面図で、これらの図に示すように、本実施例のコンバインは、走行部１、刈取部２、脱穀部３、操縦部４、穀粒処理部５、排藁処理部６等からなっている。
【０００７】
走行部１は最上部にシャーシフレーム７を設けてあり、脱穀部３の後部側面には吸引ファン８が装着してある。このさい、脱穀部３の左壁本体３ａの外面には図示しないエンジンの回転を伝達されるプーリ９を軸着するほか、テンションプーリ１０、中間プーリ１１ａ及び拡散駆動入力プーリ１１ｂをそれぞれ軸着する。
【０００８】
穀粒処理部５は次のように構成してある。即ち、脱穀部３の右壁本体３ｂの側外方に籾タンク１２を、そして同じく右壁本体３ｂの側外方で籾タンク１２の後方となる個所に縦オーガ１３を設けると共に、このオーガ１３の側外方にオーガカバー１４を設ける。
【０００9】
籾タンク１２の内方底部には下部オーガ１５を設け、これの後端をなす下部コンベアケース１５ａと縦オーガ１３の下端部とを連通させ、縦オーガ１３の上端には上部オーガ１６を矢印方向ｆ１の上下揺動のみ可能に連通させ、籾タンク１２内の籾を下部オーガ１５、縦オーガ１３及び上部オーガ１６を経てその排出口１６ａから例えばトラックの荷台等へ排出する構成としてある。
【００１0】
このさい、下部コンベアケース１５ａはシャーシフレーム７に図示しない軸受を介して縦軸線Ｊ廻りへ揺動自在に支持させ、このケース１５ａに縦オーガ１３の一部をなす縦パイプ１３ａの下端を回動自在に嵌挿し、また縦パイプ１３ａの高さ途中を後述の軸受体１７を介してシャーシフレーム７の同体部に回動自在に支持させる。
【００１1】
軸受体１７の上方の縦パイプ１３ａ個所には籾タンク１２の後面に固定されたタンク受け１８を回動自在に外嵌させ、籾タンク１２をこのタンク受け１８と下部コンベアケース１５ａに支持させて縦パイプ１３ａ廻りへの揺動変位可能となして、このタンク１２の機体内方側の部分を開閉できる構成とする。脱穀部３と籾タンク１２の間には揚穀筒１９を設け、脱穀部３で選別した一番を籾タンク１２に搬送する構成としてある。
【００１2】
操縦部４の床面４ａの下方にはエンジン用の燃料タンク２０が設けてあり、このタンク２０には給油口２０ａ、燃料吸引管２０ｂ、そして燃料レベルゲイジ２０ｃ等が設けられる。
【００１3】
排藁処理部６は、高速軸２１ａと低速軸２１ｂを有する排藁切断用のディスクカッター２１を設けると共に、このカッター２１の下方にこの切断刃で切断された排藁を拡散するための拡散羽根２２ａの固定された拡散軸２２を回転自在に装設した構成としてある。
【００１4】
この排藁処理部６の駆動系統を説明すると、排藁処理部６の左壁本体６ａ外面側において、高速軸２１ａの軸端にプーリ２３を、そして拡散軸２２の軸端にスプロケット２４を固定し、前記プーリ９、１０、１１ａ、１１ｂとプーリ２３間に伝動ベルト２５を巻き掛け、一方では拡散駆動入力プーリ１１ｂにこれと同心且つ同体にスプロケット２６を固定し、このスプロケット２６と前記スプロケット２４間に伝動チェーン２７を掛け回し、さらに高速軸２１ａと低速軸２１ｂは歯車伝動機構２８で連動させ、プーリ９の回転を各軸２１ａ、２１ｂ、２２に伝達する構成となす。このさい、中間プーリ１１ａ或いは拡散駆動入力プーリ１１ｂを吸引ファン８のファン回転中心軸に固定して何れかのプーリ１１ａ、１１ｂの回転で吸引ファン８を駆動させるのがよい。
【００１5】
この駆動系統によれば、一つの軸にプーリ、スプロケット及び歯車が隣接して固定されることを回避できるのであり、従ってプーリ９、１０、１１ａ、１１ｂ、２３を脱穀部３や排藁処理部６の左壁本体３ａ、６ａ外面近傍に位置させた構造の下でプーリ２３のベルト巻き掛け角を大きくでき、各軸２１ａ、２１ｂ、２２への確実な回転伝達が行えるのである。
【００１6】
ところで、上記縦オーガ１３の縦パイプ１３ａ近傍にはこれを縦軸線Ｊ廻りへ旋回させるためのモータ２９が設けられるのであって、その具体的な構成を説明すると次の通りである。
【００１7】
即ち、モータ２９は籾タンク１２後方で、脱穀部３と縦オーガ１３の間となる個所に装設するのである。このため、図４〜図６に示すように、脱穀部３の後端部から側外方へパイプ状の横張り出しフレーム３０を張り出させると共に、揚穀筒１９の上部寄り個所から後方へ同じくパイプ状の後向き張り出しフレーム３１を延出させる。このさい、横張り出しフレーム３０の内方端及び後向き張り出しフレーム３１の前端３１ａは結合片ａやネジ止め具ｂで結合させる。
【００18】
またシャーシフレーム７の後端部の外方端から図１に示すようにオーガ支持フレーム３２を起立させ、このフレーム３２の上端近傍に横張り出しフレーム３０の先端部３０ａを結合片ａ及びネジ止め具ｂで結合させると共に、オーガ支持フレーム３２の上端部３２ａに図５に示すようにネジ止め具ｂで固定された概ね方形の溝形縦結合板３３の切欠部ｋには平面視Ｌ形に屈曲させたパイプ状の結合杆３４の一端３４ａを溶接等で固着し、この結合杆３４の他端３４ｂと後向き張り出しフレーム３１の後端３１ｂを結合片ａ及びネジ止め具ｂで結合させる。
【００19】
さらに前記結合杆３４の横向き辺部に添わせて溝形横結合板３５を固定すると共に、横張り出しフレーム３０の途中に固着された溝形縦結合板３６の上端部をネジ止め具ｂで結合し、また結合杆３４と横張り出しフレーム３０との間となる溝形縦結合板３３の長さ途中に横向きの溝形縦支持板３７の外方端をネジ止め具ｂで固定する。
【００20】
一方では、図３及び図５に示すように縦パイプ１３ａを回動自在に保持するための軸受体１７を設ける。この軸受体１７は、二つの半円部材１７ａ、１７ｂ相互を縦パイプ１３ａに外嵌させた状態にネジ止め具ｂで結合し、内方側の半円部材１７ｂの外周面に平面視台形状に屈曲させた縦向きの連結板部材３８を溶接等で固着する。
【００21】
そして、モータ２９に固定した脚部材２９ａを固定させるためのモータブラケット３９の一面部３９ａをオーガ支持フレーム３２と同体の溝形縦支持板３７にネジ止め具ｂで固定し、この一面部３９ａと交差した他面部３９ｂを前記軸受体１７と同体の連結板部材３８にやはりネジ止め具ｂで固定するほか、このブラケット３９の左側に縦板部材４０を溶接等で固定し、この部材４０の後面個所４０ａと溝形縦結合板３６とをネジ止め具ｂで結合する。
【００22】
縦パイプ１３ａの特定高さ位置には大径の従動歯車４１を固定し、この歯車４１とモータ２９の出力軸に固定された小径の原動歯車４２とを噛み合わせるようにする。そして前記オーガカバー１４はモータ２９の上面及び後面をも被うように形成し、オーガ支持フレーム３２等を介して脱着可能に固定させる。
【００23】
このようなモータ取付構造によれば、モータ２９が左右を脱穀部３及び縦オーガ１３に、そして前部を籾タンク１２に囲まれ、且つ脱穀部３やシャーシフレーム７の後端よりも前方に位置して、完全に機体の内方に収まるのであり、従ってこれら構造物３、７、１２は外界物がモータ２９と接触することに対し強靱な保護枠として機能するものである。
【００24】
このさい、モータ２９及びその取付部材は籾タンク１２の後方か或いは籾タンク１２の内側面１２ａ（図４参照）よりもさらに機体内方に存在するため籾タンク１２の縦パイプ廻りの揺動開閉に何等支障とならない。また上記構造物３、７、１２はモータ２９に雨水、泥及び塵等がかかるのを効果的に阻止するため、オーガカバー１４は縦オーガ１３の外側面及び後面と、モータ２９の上面とを被うことのできる殆ど三平面からなる単純な屈曲板とすることで足り、しかもシャーシフレーム７から大きくはみ出すことのないものとなる。
【００25】
また横張り出しフレーム３０や後向き張り出しフレーム３１は脱穀部３の強靱な個所に固定され、しかも脱穀部３、オーガ支持フレーム３２及びシャーシフレーム７等と共に箱枠構造を形成し、モータ２９の取付部や軸受体１７を極めて効果的に固定するものである。さらにモータブラケット３９の交差した二面部３９ａ、３９ｂを介してオーガ支持フレーム３２と軸受体１７を結合したことは、結合構造を立体状となし且つ各結合個所を面接触となして、これらの結合強度を強大なものとなす。
【００26】
このような構造の下、モータ２９を任意向きへ回転作動させると、その回転はモータ２９に内蔵された減速歯車機構により減速されて原動歯車４２を回転させ、この回転が従動歯車４１を介して縦パイプ１３ａに伝達される。これにより、縦パイプ１３ａは下部コンベアケース１５ａ及び軸受体１７に支持された状態でタンク受け１８内を遊転し、これと同体に上部オーガ１６を旋回させる。
【００27】
このさい、タンク受け１８や下部コンベアケース１５ａには縦パイプ１３ａの旋回により発生した摩擦による回転力が作用するが、籾タンク１２はその揺動開閉を図示しない係止手段でロックされているため不用意に開閉変位することはない。
【００28】
またモータ２９が縦パイプ１３ａを旋回させたさい、その反力でモータ２９の取付部材は微視的には歪むこととなるが、この歪みはモータブラケット３９を介してモータ２９に伝達されるだけであるため、モータ２９への影響は少なくなる。
【００29】
【発明の効果】
上記した本発明によれば、縦オーガ旋回用モータのほか軸受体も強固に支持されて、縦オーガ旋回用モータによる縦パイプの旋回を円滑になすことができ、また縦パイプも一層強固に支持されるものとなる。
【００30】
また請求項２に記載のものによれば、モータブラケットが横張り出しフレーム及び後向き張り出しフレームで補強されたオーガ支持フレームと、軸受け体とに立体的に支持されて効果的に固定されるため、縦オーガ旋回用モータの作動時にこれに大きな外力を及ぼすことなく、モータ等を強固に支持できるものとなる。
【００31】
【図面の簡単な説明】
【図１】本発明を実施したコンバインの右側面図である。
【図２】上記コンバインの左側面図である。
【図３】本発明に係るコンバインの縦オーガ旋回用モータ取付構造を示す平面図である。
【図４】上記縦オーガ旋回用モータ取付構造の後面図である。
【図５】上記縦オーガ旋回用モータ取付構造の各取付部材を示す斜視図である。
【図６】上記縦オーガ旋回用モータ取付構造の左側面図である。
【符号の説明】
３  脱穀部
７  シャーシフレーム
１２  籾タンク
１３  縦オーガ
１３ａ  縦パイプ
１７  軸受体
１９  揚穀筒
２９  モータ
３０  横張り出しフレーム
３１  後向き張り出しフレーム
３２  オーガ支持フレーム
３９  モータブラケット
３９ａ  モータブラケットの一面部
３９ｂ  モータブラケットの他面部
【図１】
0003860284.tif 000002
【図２】
0003860284.tif 000003
【図３】
0003860284.tif 000004
【図４】
0003860284.tif 000005
【図５】
0003860284.tif 000006
【図６】
0003860284.tif 000007